(57)【要約】【課題】  仏壇等を含む設置品を際立たせるニッチのような装飾空間を有し、居室のインテリアに違和感なく後から容易に設置でき、地震等の振動にも充分に耐えられるように室内寸法に合致するような調整機能を有する収納家具を提供する。【解決手段】  居室の床と天井間に設置され、上部正面面材と、装飾空間となる中央部構成体の箱型前面開口部、及び下部正面面材が、同一面で連続する天井高に近い大きさの正面構成体を形成し、少なくとも上部構成体の正面面材の裏面には、面材裏面に沿いながら上下にスライドし高さ調整する事で、家具全体の寸法が天井高と同一となるように調整できる調整部材が取り付けられている。【選択図】図２
0003173471.tif 000002
【実用新案登録請求の範囲】
【請求項１】
居室の床と天井とに接するように設置する家具の構造であって、長方形で無開口の板状の正面面材を有する上部構成体及び下部構成体の正面面材を天井側と床側に配置し、その間に、直方体で正面に開口部を有し、高さが天井高の３分の１より小さい寸法の中央部構成体の正面を配置する事で、上部正面面材と中央部構成体の開口部及び下部正面面材が同一平面で連続する床から天井までの高さより少し短い寸法の正面構成体を形成し、さらに、上部構成体の正面面材の裏面には、面材裏面に沿いながら上下にスライドする事で、正面構成体の天井高より不足している寸法を補い、家具全体の高さ寸法が天井高と同一となるように調整できるスライド調整部材が取り付けられている事を特徴とする収納家具。
【請求項２】
下部構成体は中央部構成体と同一の奥行きで、両側面がほぼ全面開口部とされた直方体であり、家具の背面が居室の壁に接するように配置され、スライド調整部材の天井に当接する面は、中央部構成体の平断面に近い長方形である事を特徴とする請求項１記載の収納家具。
【請求項３】
上部構成体も下部構成体と同様の両側面がほほ全面開口部とされた直方体であり、スライド調整部材は、上部及び下部正面面材の裏面に上下にスライド可能な状態で取り付けられた奥行きが上部構成体の奥行きから、全面面材および背面面材の厚さを引いた値の直方体の形状である事を特徴とする請求項２記載の収納家具。
【請求項４】
スライド調整部材は、壁側と室内側の面が開口された上部及び下部構成体の前面及び背面面材に接する筒状の直方体であり、上部のスライド調整部材の筒の内部には上部構成体の天板、及び下部のスライド調整部材の筒の内部には下部構成体の底板が、それぞれ貫通しており、スライド調整部材と上部及び下部構成体は、接合調整金物で上下位置を調整可能に係合されている事を特徴とする請求項３記載の収納家具。
【請求項５】
上部構成体または下部構成体の少なくともどちらかには、側面の開口部に複数の引出しが取り付けられている事を特徴とする請求項３または４記載の収納家具。
【請求項６】
上部及び下部正面面材の室内側表面には、上部化粧面材と下部化粧面材がそれぞれ取り付けられ、中央部構成体の開口部前面には、上部化粧面材及び下部化粧面材とに隣接し、表面が同一面で連続する扉が設けられている事を特徴とする請求項１ないし５記載の収納家具。
【考案の詳細な説明】
【考案の詳細な説明】
【技術分野】
【０００１】  本考案は、室内に設置される収納家具の構造に関し、特に仏壇や彫刻、絵画、掛け軸、活け花等を引きたてるように設置できる展示用箱状空間を有する収納家具の構造に関する。
【背景技術】
【０００２】  従来、住宅の内部で彫刻や絵画等の室内装飾品を引きたてるように設置する空間として、大工工事により建築の構造体としての内壁面に凹部を設けニッチと呼ばれる専用の空間がつくられてきた（特許文献１）。【０００３】
【先行技術文献】
【０００４】
【特許文献１】特開平９−８８３２５
【考案の概要】
【考案が解決しようとする課題】
【０００５】  しかしながら、ニッチは建築の構造体である内壁面を大工工事でつくるため、住宅が完成した後に追加で設置しようとすると大変な手間がかかり、また、一旦設置してしまうと後で別の部屋に移動させる事は困難だった。【０００６】  本考案は、以上の従来技術における問題に鑑み、完成後の住宅にも容易に設置でき、さらに生活の変化に対応して最初に設置した部屋から別の部屋にも容易に移動可能でいて、かつ、従来の建物の構造壁に組み込まれたニッチと同様に、地震等の振動にも充分に耐えるように室内寸法に合致するような調整及び固定機能を有する装飾品を際立てる設置スペースを有する収納家具の構造を提供することを目的とする。
【課題を解決するための手段】
【０００７】  請求項１記載の考案は、収納家具の構造において、居室の床と天井とに接するように設置され、長方形で無開口の板状の正面面材を有する上部構成体及び下部構成体の正面面材を天井側と床側に配置し、その間に、直方体で正面に開口部を有し、高さが天井高の３分の１より小さい寸法の中央部構成体の正面を配置する事で、上部正面面材と中央部構成体の開口部及び下部正面面材が同一平面で連続する床から天井までの高さより少し短い寸法の正面構成体を形成し、さらに、上部構成体の正面面材の裏面には、面材裏面に沿いながら上下にスライドする事で、正面構成体の天井高より不足している寸法を補い、家具全体の高さ寸法が天井高と同一となるように調整できるスライド調整部材が取り付けられていることを特徴とする。【０００８】  請求項１記載の考案によれば、中央部構成体の正面に設けられた開口部は、その上下に大きな壁面状の面材に挟まれて人間の視界に入りやすい高さで室内側に向かって設置されるので、ちょうど壁面に設けられたニッチの装飾品設置スペースと同様に、そこに飾られる仏壇や彫刻、絵画、掛け軸、活け花等を引きたてるような空間を形成する事ができる。【０００９】  また、正面構成体の天井高より不足している寸法をスライド調整部材が補い収納家具が床から天井まで突っ張るように設置する事ができるので、ちょうど天井高と同じになる背の高い収納家具であるにもかかわらず、地震等の振動にも耐えられるように強固に設置固定する事ができ、かつ必要に応じて容易に設置場所の移動も可能となる。【００１０】  中央部構成体の高さが天井高の３分の１より小さい寸法であるため、箱状の中央部構成体の前面開口部の上下に隣接する正面面材が、開口部の倍以上の大きさとなるため、壁面に凹部を形成して飾り棚を設けるニッチと同じ様な印象を与える事ができ、開口部内に飾られる仏壇や彫刻、絵画、掛け軸、活け花等を引きたてる空間を形成する事ができる。【００１１】  請求項２記載の考案は、収納家具の構造において、下部構成体は中央部構成体と同一の奥行きで、両側面がほぼ全面開口部とされた直方体であり、家具の背面が居室の壁に接するように配置され、スライド調整部材の天井に当接する面は、中央部構成体の平断面に近い長方形である事を特徴とする。【００１２】  請求項２記載の考案によれば、中央部構成体と下部構成体が同様な安定した強度を有する直方体の構造体であり、その家具の背面が壁に接した状態で、壁際より室内側に収納家具の奥行き分だけ手前にある位置から壁際に近い範囲にまたがる天井面をスライド調整部材の上端の長方形の面状の部分で押し付けて家具を床から天井の間に固定するので、地震等の振動にも転倒せず耐える事が可能となる。【００１３】  また、下部構成体は、両側面がほぼ全面開口部とされた直方体であるため、正面面材の裏側に隠れた空間は、側面から出し入れできる収納空間として利用できる。【００１４】  請求項３記載の考案は、収納家具の構造において、上部構成体も下部構成体と同様の両側面がほほ全面開口部とされた直方体であり、スライド調整部材は、上部及び下部正面面材の裏面に上下にスライド可能な状態で取り付けられた奥行きが上部構成体の奥行きから、全面面材およ��背面面材の厚さを引いた値の直方体の形状である事を特徴とする。【００１５】  請求項３記載の考案によれば、上部、下部及び中央部構成体が、全体で直方体形状に一体化された構造体となるので、その上下端部に取り付けられたスライド調整部材により壁に接した状態で床から天井まで隙間なく収納家具を上下に突っ張った状態で、ちょうど壁沿いに立設した大黒柱のように固定できるので、地震等の振動による転倒をし難い状態にすることができる。【００１６】  スライド調整部材は、平行に対向する状態の前面及び背面面材とに挟まれた状態で取り付けられた直方体形状であるため、確実に保持された状態で上下にスライドでき、スライド調整部材が振動で外れるという事が起きにくい。【００１７】  上部及び下部構成体の両側面は開口部となっているので、そこに手を差し込む事ができ、スライド調整部材による収納家具の床から天井までの突っ張り固定作業が行い易い。また、上下に２つの調整部材があるため調整可能寸法が大きくなる事で収納家具を設置できる部屋の天井高の許容範囲が大きくなる。【００１８】  スライド調整部材が上下に二つある事で、大まかな高さ調整を先に上部で行い、作業のしやすい下部の調整部材で高さの微調整を行うという使い分けをすることができる。【００１９】  請求項４記載の考案は、収納家具の構造において、スライド調整部材は、壁側と室内側の面が開口された上部及び下部構成体の前面及び背面面材に接する筒状の直方体であり、上部のスライド調整部材の筒の内部には上部構成体の天板、及び下部のスライド調整部材の筒の内部には下部構成体の底板が、それぞれ貫通しており、スライド調整部材と上部及び下部構成体は、接合調整金物で上下位置を調整可能に係合されている事を特徴とする。【００２０】  請求項４記載の考案によれば、筒状のスライド調整部材と上下の構成体とが、鎖のように絡まった状態になっているため、スライド調整部材と上部及び下部構成体の天板及び底板とが上下に平行になった状態になるため、上下位置を調整固定する接合調整金物を取り付け易い。【００２１】  請求項５記載の考案は、収納家具の構造において、上部構成体または下部構成体の少なくともどちらかには、側面の開口部に複数の引出しが取り付けられている事を特徴とする。【００２２】  請求項５記載の考案によれば、本来の目的とする、正面側から見ての壁面内に飾り棚を設けた印象の意匠を損なうことなくデッドスペースになってしまってもおかしくない正面面材裏側の空間を、側面から出し入れできる引出しを取り付ける事で有効に活用できる。【００２３】  請求項６記載の考案は、収納家具の構造において、上部及び下部正面面材の室内側表面には、上部化粧面材と下部化粧面材がそれぞれ取り付けられ、中央部構成体の開口部前面には、上部化粧面材及び下部化粧面材とに隣接し、表面が同一面で連続する扉が設けられている事を特徴とする。【００２４】  請求項６記載の考案によれば、上部及び下部の化粧面材及び中央部構成体の開口部前面の扉は、収納家具の正面構構成体の室内側前面を覆うようにとりつけられているので、ニッチの周りの壁紙を張り替えるのと同じように、必要に応じて柄や色彩の異なったものに容易に取り替えることができる。【００２５】  上部及び下部の化粧面材及び中央部構成体の開口部前面の扉は、正面構成体の室内側正面の形状と同じ形と限らなくてよく、また、表面も平面とは限らず曲面や細かな凹凸面を用いたものでもよい。
【考案の効果】
【００２６】  本考案の収納家具の構造によれば、あたかもニッチを完成後の住宅に簡単に作ってしまったり、別の部屋に移動してしまうように、仏壇や彫刻、絵画、掛け軸、活け花等を引きたてるように設置できる展示用箱状空間を完成後の住宅にも容易に設置でき、さらに生活の変化に対応して最初に設置した部屋から別の部屋にも容易に移動することが可能となる。
【図面の簡単な説明】
【００２７】
【図１】収納家具の構造の構成材の一例を示す説明図である。
【図２】室内に収納家具の構造を設置した一例を示した説明図である。
【図３】室内に収納家具の構造を設置する方法の一例を示す説明図である。
【図４】室内に収納家具の構造を設置した一例を示す断面図である。
【図５】本発明に係る突っ張る機能を持つスライド調整部材の一例を示した拡大説明図である。
【図６】本発明に係る化粧面材の一例を示す説明図である。
【考案を実施するための形態】
【００２８】  収納家具の構造の構成材の一例だが、図１に示す通り各構成部材によって収納家具の構造が成り立つ。まず、本収納家具は上部スライド調整部材７を有する上部構成体１と下部スライド調整部材８を有する下部構成体３とを中央部構成体２を接合金物ｂ２１で六角レンチを用い接合し、収納家具本体を構成する。本収納家具を設置する室内の天井高を確認し、室内天井高から上部構成体１、中央部構成体２、下部構成体３の総合計高を差し引いた数字から上部スライド調整部材７にある連続穴１３の位置を決め、接合調整金物ａ９を差込み、上部スライド調整部材７の位置を固定する。次に、下部構成体３に接合金物ａ２０を用いて取付けた下部化粧面材６の上部、扉５のそれぞれ上下部に開けた接合穴に扉金具３０を差込み、上部化粧面材４の下部に扉５に差込んだ扉金具３０を差込み、上部構成体１下部にある照明箱内側にある穴に接合金物ａ２０を通し六角レンチを用い上部化粧面材４取付ける。中央部構成体２の内部は、背板２５、膳付地板２７、棚板２６の順に取付ける。上部構成体１の開口する側面から下部照明箱内にあるソケットにＬＥＤ電球２９を取付け、照明拡散板２８で蓋をする。上部化粧面材４上部には裏面から時計ムーブメントが取付けられ、面材表面から短針３３、長針３２、秒針３１の順に差込んで時計部分を完成させる。下部構成体３の開口する側面から上部より小箱３個、大箱１個の順で引出し２４を差込むと収納家具の組み上がりとなる。
【実施例】
【００２９】  次に、本考案に係る収納家具の構造を、図面に示した実施例に従って詳細に説明する。図２は、収納家具の構造を室内に設置した一例を示した透視図、図３は収納家具の構造を室内に設置する方法の一例を示している。図２の（ａ）−（ａ）断面図を図４で、本発明に係る突っ張る機能を持つスライド調整部材の一例を図５で示している。図６は収納家具の化粧面材の一例を示している。【００３０】  図２は、収納家具の構造を室内に設置した一例を示している。収納家具本体の天井高より不足している寸法を上部スライド調整部材７と下部スライド調整部材８が補い、収納家具が床から天井まで突っ張るように設置する事ができるので、ちょうど天井高と同じになる背の高い収納家具であるにもかかわらず、地震等の振動にも耐えられるように強固に設置固定する事ができ、かつ必要に応じて容易に設置場所の移動も可能となる。中央部構成体２の開口部前面には、上部化粧面材４及び下部化粧面材６に隣接した扉５が設けられ、開閉することで、壁面に凹部を形成して飾り棚を設けるニッチと同じ様な印象を与える事ができ、開口部内に飾られる仏壇や彫刻、絵画、掛け軸、活け花等を引きたてる空間を形成する事ができる。【００３１】  収納家具の構造体を室内に設置する方法は、図３で示すように、事前に室内天井高より若干少ない高さに上部スライド調整部材７で大まかに合わせておいた本体を斜めの状態で床から天井に向けて立て、壁面に沿わせ、下部構成体３の下部スライド調整部材８の接合調整金物ｂ１０を回転させながら昇降させ本体上部を天井に当てる。さらに接合調整金物ｂ１０で回転調整することで床と天井間において収納家具で突っ張らせて固定させる。設置する際、事前に引出しなど重さのある部材を本体から外し軽量にしておくと大人一人でも容易に設置することが可能である。【００３２】  図４のように居室の床と天井とに接するように設置され、長方形で無開口の板状の正面面材を有する上部構成体１及び下部構成体３の正面面材を天井側と床側に配置し、その間に、直方体で正面に開口部を有し、高さが天井高の３分の１より小さい寸法の中央部構成体２の正面を配置する事で、上部正面面材１５と中央部構成体２の開口部及び下部正面面材１７が同一平面で連続する床から天井までの高さより少し短い寸法の正面構成体を形成し、さらに、上部構成体１の正面面材の裏面には、面材裏面に沿いながら上下にスライドする事で、正面構成体の天井高より不足している寸法を補い、家具全体の高さ寸法が天井高と同一となるように調整できるスライド調整部材７、８が取り付けられていることを特徴とする。中央部構成体２と下部構成体３が同様な安定した強度を有する直方体の構造体であり、その家具の背面が壁に接した状態で、壁際より室内側に収納家具の奥行き分だけ手前にある位置から壁際に近い範囲にまたがる天井面をスライド調整部材７の上端の長方形の面状の部分で押し付けて家具を床から天井の間に固定するので、地震等の振動にも転倒せず耐える事が可能となる。下部構成体３は、両側面がほぼ全面開口部とされた直方体であるため、正面面材の裏側に隠れた空間は、側面から出し入れできる収納空間として利用できる。【００３３】  図５は上部下部のス��イド調整部材の拡大図である。収納家具の構造において、スライド調整部材７、８は、壁側と室内側の面が開口された上部及び下部構成体１、３の前面１５、１７及び背面面材１６、１８に接する筒状の直方体であり、上部のスライド調整部材７の筒の内部には上部構成体１の天板１１、及び下部のスライド調整部材８の筒の内部には下部構成体３の底板１２が、それぞれ貫通しており、スライド調整部材７、８と上部及び下部構成体１、３は、接合調整金物９、１０で上下位置を調整可能に係合されている事を特徴とする。スライド調整部材７、８は、平行に対向する状態の前面１５、１７及び背面面材１６、１８に挟まれた状態で取り付けられた直方体形状であるため且つ、前面１７及び背面面材１８とスライド調整部材８が接する面に施されたガイドレール１９に確実に保持された状態で上下にスライドでき、スライド調整部材が振動で外れるという事が起きにくい。上部及び下部構成体１、３の両側面は開口部となっているので、そこに手を差し込む事ができ、スライド調整部材７、８による収納家具の床から天井までの突っ張り固定作業が行い易い。また、上下に２つの調整部材があるため調整可能寸法が大きくなる事で収納家具を設置できる部屋の天井高の許容範囲が大きくなる。スライド調整部材７、８が上下に二つある事で、大まかな高さ調整を先に上部で行い、作業のしやすい下部の調整部材で高さの微調整を行うという使い分けをすることができる。【００３４】  図６（３）では、上部及び下部の化粧面材及び中央部構成体の開口部前面の扉は、収納家具の正面構構成体の室内側前面を覆うようにとりつけられているので、ニッチの周りの壁紙を張り替えるのと同じように、必要に応じて柄や色彩の異なったものに容易に取り替えることができることの一例を示している。上部には時計や、間接照明、明かりの漏れるスリットなどを設け、室内のインテリア演出を行なう。また、上部及び下部の化粧面材及び中央部構成体の開口部前面の扉は、正面構成体の室内側正面の形状と同じ形と限らなくてよく、また、表面も平面とは限らず曲面や細かな凹凸面を用いたものでもよい。図６（４）では、凸凹、波形、市松、ピラミッドの凹凸面を、（５）では、曲面を、（６）では、ミラー、ガラス、アクリル樹脂等上部及び下部の化粧面材及び中央部構成体の開口部前面の扉の仕様例を示している。
【産業上の利用可能性】
【００３５】  本考案の収納家具を製造・販売すれば、核家族化が進行した結果、当初仏壇を設置場所を考慮せずに設計された住居に於いても、後から居間等の現代風インテリア空間に何の違和感もなく設置する事ができる自由度があるため、増改築のみならず新築住宅市場にも寄与でき、今後益々の高齢化社会を迎える我が国に於いて、産業上の利用可能性を有する。
【符号の説明】
【００３６】１  上部構成体
２  中央部構成体
３  下部構成体
４  上部化粧面材
５  扉
６  下部化粧面材
７  上部スライド調整部材
８  下部スライド調整部材
９  接合調整金物ａ
１０  接合調整金物ｂ
１１  天板
１２  底板
１３  連続穴
１４  上部スライド調整部材用穴
１５  上部構成体前面面板
１６  上部構成体背面面板
１７  下部構成体前面面板
１８  下部構成体背面面板
１９  ガイドレール
２０  接合金物ａ
２１  接合金物ｂ
２２  照明用スィッチａ
２３  照明用スィッチｂ
２４  引出し
２５  背板
２６  棚板
２７  膳付地板
２８  照明拡散板
２９  ＬＥＤ電球
３０  扉金具
３１  秒針
３２  長針
３３  短針
３４  時計ムーブメント
３５  接合金具ｃ
３６  調整金物ｂ用固定金物
３７  スリット
３８  ダウンライト
【図１】
0003173471.tif 000003
【図２】
0003173471.tif 000004
【図３】
0003173471.tif 000005
【図４】
0003173471.tif 000006
【図５】
0003173471.tif 000007
【図６】
0003173471.tif 000008